(57)【要約】【課題】低コストで簡単な施術により、効果的な美容・痩身効果を得ることのできる、優れた美容施術方法およびそれに用いる施術用ツールを提供する。【解決手段】容器本体部２にマッサージ有効成分を含む美容液が充填され口部に球状体３が回転自在に保持されたロールオン容器タイプの施術用ツール１を用いた施術方法であって、上記施術用ツール１の球状体３を被施術者の所定部位に圧接し、らせんを描くように動かしながら美容液を塗布する施術と、適宜のツボを、上記施術用ツール１の球状体３で押圧する施術とを備えるようにした。【選択図】図１
2004222860.tif 000002
【特許請求の範囲】
【請求項１】
容器本体部にマッサージ有効成分を含む美容液が充填され口部に球状体が回転自在に保持されたロールオン容器タイプの施術用ツールを用いた施術方法であって、上記施術用ツールの球状体を、被施術者の所定部位に圧接し、らせんを描くように動かしながら美容液を塗布する施術と、適宜のツボを、上記施術用ツールの球状体で押圧する施術とを備えたことを特徴とする美容施術方法。
【請求項２】
上記美容液が、体引き締め作用を有するものである請求項１記載の美容施術方法。
【請求項３】
上記ツボが、血行および新陳代謝機能の少なくとも一方を促進するツボである請求項１または２記載の美容施術方法。
【請求項４】
請求項１に記載された美容施術方法に用いるロールオン容器タイプの施術用ツールであって、容器本体部にマッサージ有効成分を含む美容液が充填され、口部に球状体が回転自在に保持されていることを特徴とする施術用ツール。
【請求項５】
上記美容液が、体引き締め作用を有するものである請求項４記載の施術用ツール。
【発明の詳細な説明】
【０００１】
【発明の属する技術分野】
本発明は、エステティック施術者等が顧客に対して行う美容施術方法およびそれに用いる施術用ツールに関するものである。
【０００２】
【従来の技術】
従来から、エステティックサロンや化粧品販売店のエステティックコーナー等では、美肌や痩身を目的として各種の美容施術が行われているが、その一つとして、最近、皮膚に塗るだけで体引き締め効果を奏することを謳った美容液（ローション、クリーム、ジェル等）が出回っている。
【０００３】
【発明が解決しようとする課題】
しかしながら、これらの多くは、長期間使用しても、充分な成果が得られにくいという問題がある。また、より効果を上げるために、各種美容器具、マッサージ機器を用いることも行われているが、これらの器具・機器の多くは、電気や磁気を利用するものであり、高価で、複雑な操作やメンテナンスが必要であるという問題がある。
【０００４】
本発明は、このような事情に鑑みなされたもので、低コストで簡単な施術により、効果的な美容・痩身効果を得ることのできる、優れた美容施術方法およびそれに用いる施術用ツールの提供をその目的とする。
【０００５】
【課題を解決するための手段】
上記の目的を達成するため、本発明は、容器本体部にマッサージ有効成分を含む美容液が充填され口部に球状体が回転自在に保持されたロールオン容器タイプの施術用ツールを用いた施術方法であって、上記施術用ツールの球状体を被施術者の所定部位に圧接し、らせんを描くように動かしながら美容液を塗布する施術と、適宜のツボを、上記施術用ツールの球状体で押圧する施術とを備えた美容施術方法を第１の要旨とする。
【０００６】
また、本発明は、そのなかでも、特に、上記美容液が、体引き締め作用を有するものである美容施術方法を第２の要旨とし、上記ツボが、血行および新陳代謝機能の少なくとも一方を促進するツボである美容施術方法を第３の要旨とする。
【０００７】
さらに、本発明は、上記第１の要旨である美容施術方法に用いるロールオン容器タイプの施術用ツールであって、容器本体部にマッサージ有効成分を含む美容液が充填され、口部に球状体が回転自在に保持されている施術用ツールを第４の要旨とする。
【０００８】
そして、本発明は、そのなかでも、特に、上記美容液が、体引き締め作用を有するものである施術用ツールを第５の要旨とする。
【０００９】
【発明の実施の形態】
つぎに、本発明の実施の形態について説明する。
【００１０】
本発明は、エステティック施術者等が、顧客に対して行う美容施術方法で、例えば図１に示すような、ロールオン容器タイプの施術用ツール１を用いて行われる。
【００１１】
上記施術用ツール１は、通常のロールオン容器と同様、容器本体部２と、その口部開口に回転自在に保持される球状体３と、蓋部４とを備えており、上記蓋部４の内周面に形成された雌ねじ（見えない）と、容器本体部２の口部外周に形成された雄ねじ５とをら合させることにより、蓋部４が着脱自在に容器本体部２に取り付けられるようになっている。
【００１２】
より詳しく説明すると、図２に示すように、上記容器本体部２の口部には、上部がごくわずかに縮径された略円筒状のガイド部材６が嵌入されており、球状体３が、上記縮径部６ａによって抜け止めされた状態で、回転自在に保持されている。そして、上記ガイド部材６の内側にある球状体３の部分が、容器本体部２内に充填された美容液７と接触して濡れ、球状体３が被施術者の皮膚と接触して回転することにより、その球状体３の濡れた部分が順次皮膚に接触して、皮膚に美容液７が提供されるようになっている。
【００１３】
上記施術用ツール１を用い、例えばつぎのようにして、美容施術を行うことができる。すなわち、まず、施術用ツール１として、容器本体部２内に、体引き締め作用を有する成分を含有するローション（美容液７：カネボウエクササイズ  ボディポイントアップ、カネボウ社製）が充填されたものを用意する。そして、痩身美容を希望する被施術者に対し、その被施術者の、脂肪がついて気になる部位に、上記施術用ツール１の球状体３を圧設してらせんを描くように動かしながら、ローションを塗布する。
【００１４】
なお、脂肪がつきやすい部位は、例えば図３（ａ），（ｂ）に示すように、施術者もしくは被施術者自身が、適宜の部位を選択して、図示のように、施術用ツール１の球状体３をらせん状に動かして施術を行う。
【００１５】
例えば、腕・脚へのローション塗布は、矢印１０〜１９で示すように、体の末端から体の中心に向かって行い、腹部は、矢印２０で示すように、おへその周りを時計周りに回るようにして行う。また、左右の体側部は、矢印２１、２２で示すように、下から上に向かって行い、臀部は、矢印２３、２４で示すように、ヒップラインに沿って、円を描くように行う。
【００１６】
つぎに、上記施術用ツール１の球状体３を使って、適宜のツボを押圧して刺激する。これにより、血行や新陳代謝が促進され、より高いマッサージ効果を得ることができる。
【００１７】
なお、痩身美容上、特に有効なツボとしては、例えば、腹部では、図４（ａ）に示すように、中カン（チュウカン）、天枢（テンスウ）、水分（スイブン）、気海（キカイ）があげられる。また、臀部では、図４（ｂ）に示すように、承扶（ショウフ）があげられる。そして，脚部では、図５（ａ）、（ｂ）に示すように、足三里（アシサンリ）、承山（ショウザン）、復溜（フクリュウ）があげられる。
【００１８】
このようにして、一連の美容施術が終了する。なお、この後、適宜のローションやエッセンスで肌を整えたり、他のマッサージを組み合わせたりすることは任意である。
【００１９】
上記美容施術方法によれば、単に、体引き締め用のローションを肌に塗るだけでなく、施術用ツール１の球状体３を圧接してらせん状に動かしながら塗るため、その動作によって高いマッサージ効果が得られ、ローションの吸収が促進されるとともに、優れた効果が発現されるようになる。また、その後、引き続いて、ツボ押し施術を行うため、さらに血行と新陳代謝が促進され、より一層マッサージ効果が高まるという効果を奏する。
【００２０】
なお、上記の例において、施術用ツール１内に充填される美容液７は、従来公知のどのような美容液であってもよいが、特に、皮膚に塗るだけで体引き締め作用を奏する美容液を用いることが好適である。このような美容液としては、上記の例で用いたローションの他、市販のカネボウエクササイズ  ボディポイントアップＩＩ（カネボウ社製）、カネボウエクササイズ  ラインデザイン（フェース）（カネボウ社製）等があげられる。
【００２１】
また、上記の例において、施術用ツール１を用いて美容液７を皮膚に塗布する際の、球状体３の圧接の程度は、被施術者が押圧を感じる程度で足り、特に強く押しつける必要はない。すなわち、あまり強く押圧すると、球状体３が皮膚表面をスムーズに転がりにくくなり、球状体３が、皮膚上をらせん状に移動して皮膚に刺激を与えながら美容液７を供給する動作がしにくくなるからである。そして、上記美容液７の塗布動作は、上記の例のように、らせん状に動かすだけでなく、これに、他の動かし方（直線的な動きや断続的に圧接する動き等）を組み合わせるようにしても差し支えない。
【００２２】
これに対し、ツボを押す施術では、上記美容液７の塗布動作時に比べ、ツボ部分だけを強く押圧して、ツボを刺激することが望ましい。そして、押圧するツボは、上記の例に限らず、心身の状態を改善・解消しうる各種のツボを適宜に選択することができる。
【００２３】
そして、本発明の美容施術方法は、上記施術用ツール１による美容液７の塗布と、施術用ツール１によるツボ押しという２種類の施術を中心として、さらに、被施術者の心身の状態や被施術者の希望、被施術者が施術に要することできる時間等を勘案して、他のマッサージ等と組み合わせて適宜に構成することができる。
【００２４】
また、上記の例において、施術用ツール１の容器本体部２、球状体３、蓋体４はそれぞれＰＰ（ポリプロピレン９）製、ガイド部材６はＬＤＰＥ（低密度ポリエチレン）製であるが、材質は、これらに限定するものではなく、美容液７を保持することができ、かつ押圧動作に耐えうる一定の強度を備えていれば、どのようなものであってもよい。
【００２５】
そして、その球状体３の大きさは、上記の例では、直径が１８ｍｍに設定されているが、これに限定されるものではない。ただし、施術動作をスムーズに行う上で、直径を１６〜２０ｍｍに設定することが好適である。
【００２６】
また、同様の趣旨から、容器本体部２も、握りやすい形状と大きさに設定することが好ましく、通常、略円柱状もしくは略角柱状等に設定することが好適である。
【００２７】
そして、上記容器本体部２の胴体部には、施術用ツール１が手のひらからずれずにしっかりと押圧動作を行うことができるよう、例えば図６（ａ）に示すように、環状に延びる凹条３０を設けるようにしてもよい（図では２本、本数は任意）。もちろん、逆に、環状に延びる凸条であっても差し支えない。
【００２８】
また、同様の趣旨から、図６（ｂ）に示すように、胴体部全体に、突起３１を分散形成するようにしても差し支えない。この突起３１の大きさや個数は任意である。
【００２９】
さらに、図７（ａ）に示すように、容器本体部２の下端縁にフランジ部３２を設けて、この部分を手のひらで押しながら施術するようにしてもよい。特に、図７（ｂ）に示すように、周方向に凹凸を有するフランジ部３３を設けた場合には、ツボ押しの後、上記フランジ部３３の周縁部で、ツボやその周囲をマッサージすることができ、球状体３によるマッサージと組み合わせることにより、より一層のマッサージ効果を得ることができる。
【００３０】
【発明の効果】
以上のように、本発明の美容施術方法は、単に美容液を皮膚に塗るだけでなく、施術用ツールの球状体を圧接してらせん状に動かしながら塗るため、その動作によって高いマッサージ効果が得られ、美容液の吸収が促進されるとともに、優れた効果が発現されるようになる。また、その後、引き続いて、上記施術用ツールを用いてツボ押し施術を行うため、さらに血行と新陳代謝が促進され、より一層マッサージ効果が高まるという効果を奏する。そして、上記施術用ツールは、電気や磁気を用いた複雑な器具ではなく、簡単な構成であるロールオン容器タイプのものであるため、安価で、使い勝手がよいという利点を有する。
【図面の簡単な説明】
【図１】本発明の一実施例に用いる施術用ツールの説明図である。
【図２】上記施術用ツールの縦断面図である。
【図３】（ａ），（ｂ）は、いずれも本発明における施術動作の説明図である。
【図４】（ａ），（ｂ）は、いずれも本発明における施術に適したツボの説明図である。
【図５】（ａ），（ｂ）は、いずれも本発明における施術に適したツボの説明図である。
【図６】（ａ），（ｂ）は、いずれも本発明に用いる施術用ツールの他の例の説明図である。
【図７】（ａ），（ｂ）は、いずれも本発明に用いる施術用ツールのさらに他の例の説明図である。
【符号の説明】
１  施術用ツール
２  容器本体部
３  球状体
【図１】
2004222860.tif 000003
【図２】
2004222860.tif 000004
【図３】
2004222860.tif 000005
【図４】
2004222860.tif 000006
【図５】
2004222860.tif 000007
【図６】
2004222860.tif 000008
【図７】
2004222860.tif 000009